(57)【要約】【課題】着信端末を相手に指定した信号が発信端末から送信され着信された場合において、この着信端末を相手にした着信があったことを着信端末に通知する。【解決手段】ＳＩＰアプリケーションサーバ３は、メディアサーバ５に対し、着信通知ガイダンスの送出を指示する（Ｓ７）。ＳＩＰアプリケーションサーバ３は、信号ＩＮＦＯ（着信通知ガイダンスの送出指示）をメディアサーバ５に送信し、メディアサーバ５は、信号２００ＯＫ、信号ＩＮＦＯ（着信通知ガイダンスの送出開始）をＳＩＰアプリケーションサーバ３に送信し、ＳＩＰアプリケーションサーバ３は、信号２００ＯＫをメディアサーバ５に送信し、メディアサーバ５は、着信通知ガイダンスを着信端末に送信する。着信端末は、この着信通知ガイダンスを音声や画面表示などで再生する。【選択図】図４
2011244315.tif 000002
【特許請求の範囲】
【請求項１】
複数の通信端末の任意の２通信端末間を通信路で接続する呼処理システムおよび該呼処理システムとともに使用されるメディアサーバを含む通信システムの動作方法であって、
前記呼処理システムが、前記一方の通信端末である着信端末を相手に指定した信号を前記他方の通信端末である発信端末から着信する着信ステップと、
前記呼処理システムが、前記着信端末に着信信号を送信する着信端末呼出ステップと、
前記呼処理システムの指示により前記メディアサーバが、前記着信信号に対して応答信号を送信した前記着信端末に対し、前記着信端末を相手に指定した信号の着信があったことを通知する着信通知ステップと
を有することを特徴とする通信システムの動作方法。
【請求項２】
複数の通信端末の任意の２通信端末間を通信路で接続する呼処理システムおよび該呼処理システムとともに使用されるメディアサーバを含む通信システムの動作方法であって、
前記呼処理システムが、前記一方の通信端末である着信端末を相手に指定した信号を前記他方の通信端末である発信端末から着信する着信ステップと、
前記呼処理システムが、前記発信端末からメッセージを受信記憶するように前記メディアサーバに指示するメッセージ受信記憶指示ステップと、
前記呼処理システムが、前記着信端末に着信信号を送信する着信端末呼出ステップと、
前記呼処理システムの指示により前記メディアサーバが、前記着信信号に対して応答信号を送信した前記着信端末に対し、前記着信端末を相手に指定した信号の着信があったことと前記メッセージを受信記憶したか否かを通知する着信通知ステップと
を有することを特徴とする通信システムの動作方法。
【請求項３】
前記メディアサーバは、前記メッセージを記憶している場合において、前記着信端末への通知後、前記着信端末から予め定められた操作により信号が送信されたなら、前記メッセージを前記着信端末に送信する
ことを特徴とする請求項２記載の通信システムの動作方法。
【請求項４】
前記呼処理システムは、前記着信端末への通知後、前記着信端末から予め定められた操作により信号が送信されたなら、前記発信端末と前記着信端末とを通信路で接続させる
ことを特徴とする請求項１ないし３のいずれか記載の通信システムの動作方法。
【請求項５】
複数の通信端末の任意の２通信端末間を通信路で接続する呼処理システムおよび該呼処理システムとともに使用されるメディアサーバを含む通信システムであって、
前記呼処理システムは、
前記一方の通信端末である着信端末を相手に指定した信号を前記他方の通信端末である発信端末から着信する着信手段と、
前記着信端末に着信信号を送信する着信端末呼出手段とを備え、
前記メディアサーバは、
前記呼処理システムの指示により、前記着信信号に対して応答信号を送信した前記着信端末に対し、前記着信端末を相手に指定した信号の着信があったことを通知する着信通知手段
を備えることを特徴とする通信システム。
【請求項６】
複数の通信端末の任意の２通信端末間を通信路で接続する呼処理システムおよび該呼処理システムとともに使用されるメディアサーバを含む通信システムであって、
前記呼処理システムは、
前記一方の通信端末である着信端末を相手に指定した信号を前記他方の通信端末である発信端末から着信する着信手段と、
前記発信端末からメッセージを受信記憶するように前記メディアサーバに指示するメッセージ受信記憶指示手段と、
前記着信端末に着信信号を送信する着信端末呼出手段とを備え、
前記メディアサーバは、
前記呼処理システムの指示により、前記着信信号に対して応答信号を送信した前記着信端末に対し、前記着信端末を相手に指定した信号の着信があったことと前記メッセージを受信記憶したか否かを通知する着信通知手段
を備えることを特徴とする通信システム。
【請求項７】
前記メディアサーバは、前記メッセージを記憶している場合において、前記着信端末への通知後、前記着信端末から予め定められた操作により信号が送信されたなら、前記メッセージを前記着信端末に送信する
ことを特徴とする請求項６記載の通信システム。
【請求項８】
前記呼処理システムは、前記着信端末への通知後、前記着信端末から予め定められた操作により信号が送信されたなら、前記発信端末と前記着信端末とを通信路で接続させる
ことを特徴とする請求項５ないし７のいずれかに記載の通信システム。
【発明の詳細な説明】
【技術分野】
【０００１】
本発明は、着信端末を相手に指定した信号が発信端末から送信され着信された場合において、この着信端末を相手にした着信があったことを着信端末に通知できる通信システムおよびその動作方法に関するものである。
【背景技術】
【０００２】
近年においては、着信端末が応答しない場合などにおいては、発信端末からのメッセージを録音し、その旨をメールで通知するサービスがある（非特許文献１を参照）。
【先行技術文献】
【非特許文献】
【０００３】
【非特許文献１】”着信お知らせメール”、［ｏｎｌｉｎｅ］、東日本電信電話株式会社、［平成２２年４月２８日検索］、インターネット＜ＵＲＬ：ｈｔｔｐ：／／ｆｌｅｔｓ．ｃｏｍ／ｈｉｋａｒｉｄｅｎｗａ／ｓｅｒｖｉｃｅ／ｍａｉｌ．ｈｔｍｌ＞
【発明の概要】
【発明が解決しようとする課題】
【０００４】
しかしながら、メールの場合はリアルタイム性に欠け、確認漏れにより放置される場合があり、仕事等、確実に要件を通知したい場合には利便性に欠ける。
【０００５】
本発明は、上記の課題に鑑みてなされたものであり、その目的とするところは、着信端末を相手に指定した信号が発信端末から送信され着信された場合において、この着信端末を相手にした着信があったことを着信端末に通知できる通信システムおよびその動作方法を提供することにある。
【課題を解決するための手段】
【０００６】
上記の課題を解決するために、第１の本発明に係る通信システムの動作方法は、複数の通信端末の任意の２通信端末間を通信路で接続する呼処理システムおよび該呼処理システムとともに使用されるメディアサーバを含む通信システムの動作方法であって、前記呼処理システムが、前記一方の通信端末である着信端末を相手に指定した信号を前記他方の通信端末である発信端末から着信する着信ステップと、前記呼処理システムが、前記着信端末に着信信号を送信する着信端末呼出ステップと、前記呼処理システムの指示により前記メディアサーバが、前記着信信号に対して応答信号を送信した前記着信端末に対し、前記着信端末を相手に指定した信号の着信があったことを通知する着信通知ステップとを有することを特徴とする。
【０００７】
第２の本発明に係る通信システムの動作方法は、複数の通信端末の任意の２通信端末間を通信路で接続する呼処理システムおよび該呼処理システムとともに使用されるメディアサーバを含む通信システムの動作方法であって、前記呼処理システムが、前記一方の通信端末である着信端末を相手に指定した信号を前記他方の通信端末である発信端末から着信する着信ステップと、前記呼処理システムが、前記発信端末からメッセージを受信記憶するように前記メディアサーバに指示するメッセージ受信記憶指示ステップと、前記呼処理システムが、前記着信端末に着信信号を送信する着信端末呼出ステップと、前記呼処理システムの指示により前記メディアサーバが、前記着信信号に対して応答信号を送信した前記着信端末に対し、前記着信端末を相手に指定した信号の着信があったことと前記メッセージを受信記憶したか否かを通知する着信通知ステップとを有することを特徴とする。
【０００８】
例えば、前記メディアサーバは、前記メッセージを記憶している場合において、前記着信端末への通知後、前記着信端末から予め定められた操作により信号が送信されたなら、前記メッセージを前記着信端末に送信する。
【０００９】
例えば、前記呼処理システムは、前記着信端末への通知後、前記着信端末から予め定められた操作により信号が送信されたなら、前記発信端末と前記着信端末とを通信路で接続させる。
【００１０】
第３の本発明に係る通信システムは、複数の通信端末の任意の２通信端末間を通信路で接続する呼処理システムおよび該呼処理システムとともに使用されるメディアサーバを含む通信システムであって、前記呼処理システムは、前記一方の通信端末である着信端末を相手に指定した信号を前記他方の通信端末である発信端末から着信する着信手段と、前記着信端末に着信信号を送信する着信端末呼出手段とを備え、前記メディアサーバは、前記呼処理システムの指示により、前記着信信号に対して応答信号を送信した前記着信端末に対し、前記着信端末を相手に指定した信号の着信があったことを通知する着信通知手段を備えることを特徴とする。
【００１１】
第４の本発明に係る通信システムは、複数の通信端末の任意の２通信端末間を通信路で接続する呼処理システムおよび該呼処理システムとともに使用されるメディアサーバを含む通信システムであって、前記呼処理システムは、前記一方の通信端末である着信端末を相手に指定した信号を前記他方の通信端末である発信端末から着信する着信手段と、前記発信端末からメッセージを受信記憶するように前記メディアサーバに指示するメッセージ受信記憶指示手段と、前記着信端末に着信信号を送信する着信端末呼出手段とを備え、前記メディアサーバは、前記呼処理システムの指示により、前記着信信号に対して応答信号を送信した前記着信端末に対し、前記着信端末を相手に指定した信号の着信があったことと前記メッセージを受信記憶したか否かを通知する着信通知手段を備えることを特徴とする。
【００１２】
例えば、前記メディアサーバは、前記メッセージを記憶している場合において、前記着信端末への通知後、前記着信端末から予め定められた操作により信号が送信されたなら、前記メッセージを前記着信端末に送信する。
【００１３】
例えば、前記呼処理システムは、前記着信端末への通知後、前記着信端末から予め定められた操作により信号が送信されたなら、前記発信端末と前記着信端末とを通信路で接続させる。
【発明の効果】
【００１４】
本発明によれば、呼処理システムは、着信端末を相手に指定した信号を発信端末から着信したなら、着信端末に着信信号を送信し、着信信号に対して応答信号を送信した着信端末に対し、着信端末を相手に指定した信号を着信したこと、つまり発信端末のユーザが通話を望んでいることことを着信端末に通知するので、かかる着信があったこと、つまり、発信端末のユーザが通話を望んでいることを着信端末のユーザに対し確実に伝えることができる。
【図面の簡単な説明】
【００１５】
【図１】本実施の形態に係る通信システムの構成図である。
【図２】本実施の形態の実施例１に係るシーケンスの一部を示す図である。
【図３】本実施の形態の実施例１に係るシーケンスの一部を示す図である。
【図４】本実施の形態の実施例１に係るシーケンスの残りの部分を示す図である。
【図５】本実施の形態の実施例２に係るシーケンスの一部を示す図である。
【図６】本実施の形態の実施例３に係るシーケンスの一部を示す図である。
【発明を実施するための形態】
【００１６】
以下、本発明の実施の形態について図面を参照して説明する。
【００１７】
図１は、本実施の形態に係る通信システムの構成図である。呼処理システム１は、サーバ（例えばＩＰ電話通信のためのＳＩＰサーバ２であり、以下、「ＳＩＰサーバ」という）２と、このＳＩＰサーバ２に接続されたＳＩＰアプリケーションサーバ３と、このＳＩＰアプリケーションサーバ３に接続されたアプリケーションサーバ４と、を含む。ＳＩＰサーバ２、ＳＩＰアプリケーションサーバ３、アプリケーションサーバ４は、メディアサーバ５に接続されている。
【００１８】
ＳＩＰサーバ２は、網（例えばＩＰ電話通信のための網であり、図では「ＩＰ電話網」と記載）６を介して、通信端末（例えばＩＰ電話通信の端末つまりＩＰ電話）７、８に接続されている。通信端末７、８は、ＳＩＰサーバ２に収容されていてもよい。
【００１９】
ＳＩＰサーバ２は、異なる網同士を接続するためのゲートウェイ９と、異なる通信事業者の網間を結ぶための相互接続点１０と、網（例えば無線通信のための網であり、図では「携帯電話網」と記載）１１を介して、通信端末（例えば無線通信のための端末つまり携帯電話）１２に接続されている。ゲートウェイ９は、複数あってもよい。
【００２０】
図示のゲートウェイ９は、他の相互接続点１０と、網（例えば、他の網を運営する会社でない他社の加入者網であり、図では「他社加入者網」と記載）１３を介して、通信端末（例えば他社の一般的な電話端末）１４に接続されている。
【００２１】
ゲートウェイ９に対し、このように複数の相互接続点が接続されていてもよい。ゲートウェイ９と携帯電話網が、図示しない他の相互接続点を介して接続されていてもよい。また、図示の相互接続点に対し複数の他社加入者網が接続されていてもよい。また、ゲートウェイ９と他社加入者網を、相互接続点を介さずに接続してもよい。
【００２２】
ＳＩＰサーバ２は、通信端末７、８、ＳＩＰアプリケーションサーバ３、ゲートウェイ９から呼設定の要求を受け、接続先のシステムに呼設定を行う機能を有する。ＳＩＰアプリケーションサーバ３からの呼設定の要求は、例えば、ＳＩＰやＩＮＡＰなどを用いて行われる。
【００２３】
ＳＩＰアプリケーションサーバ３は、ＳＩＰサーバ２からの呼設定要求やアプリケーションサーバ４からの発信要求などを受付け、メディアサーバ５、通信端末六、７、１１、１３への呼設定や解放等の呼接続制御要求を行う機能を有する。
【００２４】
メディアサーバ５は、ＳＩＰアプリケーションサーバ３からの指示に応じて、通信端末７、８、１２、１４へガイダンスを送信するとともに、ボタン（例えば、多くの端末が有している、「＊」などを割り当てられたボタン）操作により通信端末から送信された信号に応じて、ＳＩＰサーバ２へ情報を通知する機能を有する。また、メディアサーバ５は、入力された音声メッセージを受信記憶する機能と、そのような音声メッセージの有無をアプリケーションサーバ４へ通知する機能を有する。
【００２５】
アプリケーションサーバ４は、メディアサーバ５からメッセージの有無の通知を受け、その通知内容を含むガイダンスを通信端末に送信するように、ＳＩＰアプリケーションサーバ３へ要求する機能を有する。
【００２６】
以下、本実施の形態における動作を複数の実施例で説明する。なお、各実施例では、２つの通信端末を例にするが、他の通信端末を使用してもよい。
【００２７】
（実施例１）
実施例１では、通信端末１２（以下、着信端末という）を相手に指定した信号が通信端末７（以下、発信端末という）から送信され、これを呼処理システム１が着信し、このような着信があったことを示すガイダンス（ここでは、さらに発信端末のユーザからの音声メッセージの有無も示すガイダンスとする。これを、以下、着信通知ガイダンスという。）を着信端末に送信する動作を説明する。
【００２８】
図２において、発信端末のユーザは、例えば、着信端末のユーザから予め知らされた論理番号を発信端末に入力し、これにより、発信端末が発信を行い（Ｓ１）、呼処理システムは発信を受け付ける。発信端末は、信号ＩＮＶＩＴＥ（ＳＤＰ：発信端末）をＳＩＰサーバ２に送信し、ＳＩＰサーバ２は、信号ＩＮＶＩＴＥ（ＳＤＰ：発信端末）をＳＩＰアプリケーションサーバ３に送信する。つまり、呼処理システム１は、着信端末を相手に指定した信号を発信端末から着信する。
【００２９】
論理番号は、通常の発信に使用する端末番号とは別のもので、例えば、端末番号を知られたくない相手に対し、端末番号の代わりとして知らせるものである。
【００３０】
さて、図示しないが、ＳＩＰアプリケーションサーバ３においては、論理番号に予め着信端末の端末番号が対応づけらている。呼処理システム１は、発信で入力された論理番号に対応づけられた端末番号をゲートウェイ９に通知し、着信端末に対して着信信号を送信させる。
【００３１】
例えば、着信端末のユーザが留守だった、または、着信端末にエラーが生じていた、または、着信端末が使用中（ビジー）だったことのなどにより、着信端末は、応答信号を送信しないことがある。
【００３２】
例えば、（１）このように応答信号が送信されなかった場合、または、（２）着信端末のユーザが、予め着信に応答できないことを想定して、所定の設定を行っていた場合など、条件が充足されたなら、ＳＩＰアプリケーションサーバ３は、メディアサーバ５に対し、発信端末と接続して、音声メッセージを受信記憶するように指示する（Ｓ２）。ＳＩＰアプリケーションサーバ３は、信号ＩＮＶＩＴＥ（ＳＤＰ：発信端末）をメディアサーバ５に送信し、メディアサーバ５は、信号２００ＯＫ（ＳＤＰ：発信端末）をＳＩＰアプリケーションサーバ３に送信する。
【００３３】
ＳＩＰアプリケーションサーバ３は、信号２００ＯＫ（ＳＤＰ：ｍｓ）をＳＩＰサーバ２に送信し、ＳＩＰサーバ２は、信号２００ＯＫ（ＳＤＰ：ｍｓ）を発信端末に送信する。
【００３４】
メディアサーバ５は、音声メッセージを発声せよとの案内を発信端末に送信し、発信端末は、案内を音声などで再生する。発信端末は、ユーザが発した音声メッセージをメディアサーバ５に送信し、メディアサーバ５は、この音声メッセージを記憶する。
【００３５】
なお、発信端末のユーザは、不要と考えれば、音声メッセージを発しなくてもよく、この場合、メディアサーバ５には、音声メッセージが送信記憶されない。
【００３６】
メディアサーバ５は、信号ＢＹＥをＳＩＰアプリケーションサーバ３に送信し、ＳＩＰアプリケーションサーバ３は、信号ＢＹＥをＳＩＰサーバ２に送信し、ＳＩＰサーバ２は、信号ＢＹＥを発信端末に送信する。発信端末は、信号２００ＯＫをＳＩＰサーバ２に送信し、ＳＩＰサーバ２は、信号２００ＯＫをＳＩＰアプリケーションサーバ３に送信し、ＳＩＰアプリケーションサーバ３は、信号２００ＯＫをメディアサーバ５に送信する。
【００３７】
メディアサーバ５は、音声メッセージの有無をアプリケーションサーバ４へ通知する（Ｓ３）。メディアサーバ５は、発信で入力された論理番号と、この論理番号に予め対応づけられていた着信端末の端末番号とを取得し、これらをアプリケーションサーバ４へ通知する。
【００３８】
アプリケーションサーバ４は、ＳＩＰアプリケーションサーバ３に対し、メディアサーバ５から通知された端末番号の通信端末つまり着信端末に、着信通知ガイダンスを送信するように要求する（Ｓ４）。アプリケーションサーバ４は、メディアサーバ５から通知された端末番号と論理番号をＳＩＰアプリケーションサーバ３に通知する。
【００３９】
図３において、ＳＩＰアプリケーションサーバ３は、メディアサーバ５に対し、音声メッセージが記憶されているか否かを問い合わせる（Ｓ５）。ＳＩＰアプリケーションサーバ３は、信号ＩＮＶＩＴＥ（ＳＤＰ：ｄｕｍｍｙ）をメディアサーバ５に送信し、メディアサーバ５は、信号２００ＯＫ（ＳＤＰ：ｍｓ）をＳＩＰアプリケーションサーバ３に送信する。ＳＩＰアプリケーションサーバ３は、信号ＩＮＦＯ（音声メッセージの有無の問い合わせ）をメディアサーバ５に送信し、メディアサーバ５は、信号２００ＯＫをＳＩＰアプリケーションサーバ３に送信する。メディアサーバ５は、信号ＩＮＦＯ（音声メッセージの有無）をＳＩＰアプリケーションサーバ３に送信し、ＳＩＰアプリケーションサーバ３は、信号２００ＯＫをメディアサーバ５に送信する。
【００４０】
ＳＩＰアプリケーションサーバ３は、音声メッセージの有無が通知されると、着信端末とメディアサーバ５を接続させる（Ｓ６）。ＳＩＰアプリケーションサーバ３は、信号ＩＮＶＩＴＥ（ＳＤＰ：ｍｓ）をＳＩＰサーバ２に送信する。このとき、ＳＩＰアプリケーションサーバ３は、ＳＩＰアプリケーションサーバ３が論理番号に予め対応づけて記憶していた端末番号をＳＩＰサーバ２に送信する前記信号ＩＮＶＩＴＥ（ＳＤＰ：ｍｓ）に設定し、ＳＩＰサーバ２は、当該端末番号へのルーティングを行う。このルーティングでは、ＳＩＰサーバ２は、信号ＩＮＶＩＴＥ（ＳＤＰ：ｍｓ）をゲートウェイ９に送信し、ゲートウェイ９は、着信信号を着信端末に送信する。着信端末は、応答信号をゲートウェイ９に送信し、ゲートウェイ９は、信号２００ＯＫ（ＳＤＰ：着信端末）をＳＩＰサーバ２に送信する。ＳＩＰサーバ２は、信号２００ＯＫ（ＳＤＰ：着信端末）をＳＩＰアプリケーションサーバ３に送信し、ＳＩＰアプリケーションサーバ３は、信号ｒｅＩＮＶＩＴＥ（ＳＤＰ：着信端末）をメディアサーバ５に送信し、メディアサーバ５は、信号２００ＯＫ（ＳＤＰ：ｍｓ）をＳＩＰアプリケーションサーバ３に送信する。
【００４１】
図４において、ＳＩＰアプリケーションサーバ３は、メディアサーバ５に対し、着信通知ガイダンスの送出を指示する（Ｓ７）。ＳＩＰアプリケーションサーバ３は、信号ＩＮＦＯ（着信通知ガイダンスの送出指示）をメディアサーバ５に送信し、メディアサーバ５は、信号２００ＯＫ、信号ＩＮＦＯ（着信通知ガイダンスの送出開始）をＳＩＰアプリケーションサーバ３に送信し、ＳＩＰアプリケーションサーバ３は、信号２００ＯＫをメディアサーバ５に送信し、メディアサーバ５は、着信通知ガイダンスを着信端末に送信する。着信端末は、この着信通知ガイダンスを音声や画面表示などで再生する。
【００４２】
メディアサーバ５は、信号ＩＮＦＯ（着信通知ガイダンスの送出終了）をＳＩＰアプリケーションサーバ３に送信し、ＳＩＰアプリケーションサーバ３は、信号２００ＯＫをメディアサーバ５に送信する。
【００４３】
ＳＩＰアプリケーションサーバ３は、着信端末とメディアサーバ５のセッションを解放させる（Ｓ８）。ＳＩＰアプリケーションサーバ３は、ＳＩＰサーバ２に信号ＢＹＥを送信し、ＳＩＰサーバ２は、信号ＢＹＥをゲートウェイ９に送信し、ゲートウェイ９は、切断信号を着信端末に送信する。着信端末は、応答信号をゲートウェイ９に送信し、ゲートウェイ９は、信号２００ＯＫをＳＩＰサーバ２に送信し、ＳＩＰサーバ２は、信号２００ＯＫをＳＩＰアプリケーションサーバ３に送信する。ＳＩＰアプリケーションサーバ３は、信号ＢＹＥをメディアサーバ５に送信し、メディアサーバ５は、信号２００ＯＫをＳＩＰアプリケーションサーバ３に送信する。
【００４４】
（実施例２）
実施例２では、着信端末に着信通知ガイダンスを送信し、さらに、発信端末のユーザによる音声メッセージを着信端末に送信する動作を説明する。
【００４５】
図５において、実施例１と同様なシーケンスを経て、メディアサーバ５は、着信通知ガイダンスを着信端末に送信する。着信端末は、この着信通知ガイダンスを音声や画面表示などで再生する。
【００４６】
例えば、この着信通知ガイダンスには、着信端末における所定のボタンを押すことにより、さらに、音声メッセージを聞くことができる旨の内容が含まれていることとする。
【００４７】
このような着信通知ガイダンスを得たユーザは、音声メッセージを聞こうとし、そのボタンを押す。これにより、着信端末は、音声メッセージを要求するための信号（ＰＢ信号）をメディアサーバ５に送信する。
【００４８】
メディアサーバ５は、記憶した音声メッセージを着信端末に送信する（Ｓ１１）。後に、メディアサーバ５は、信号ＩＮＦＯ（着信通知ガイダンスの送信終了）をＳＩＰアプリケーションサーバ３に送信し、ＳＩＰアプリケーションサーバ３は、信号２００ＯＫをメディアサーバ５に送信する。以下、実施例１のシーケンスと同様である。
【００４９】
（実施例３）
実施例２では、着信端末に着信通知ガイダンスを送信し、さらに、発信端末、着信端末のユーザ同士で通話をさせる動作を説明する。
【００５０】
図６において、実施例１と同様なシーケンスを経て、メディアサーバ５は、着信通知ガイダンスを着信端末に送信する。着信端末は、この着信通知ガイダンスを音声や画面表示などで再生する。
【００５１】
例えば、この着信通知ガイダンスには、着信端末における所定のボタンを押すことにより、さらに、発信端末のユーザと通話できる旨の内容が含まれていることとする。
【００５２】
このような着信通知ガイダンスを得たユーザは、通話を行おうとし、そのボタンを押す。これにより、着信端末は、発信端末との接続を要求するための信号（ＰＢ信号）をメディアサーバ５に送信する。メディアサーバ５は、信号ＩＮＦＯ（接続要求）をＳＩＰアプリケーションサーバ３に送信し、ＳＩＰアプリケーションサーバ３は、信号２００ＯＫをメディアサーバ５に送信する。
【００５３】
ＳＩＰアプリケーションサーバ３は、発信端末と着信端末との接続処理を行う（Ｓ２１）。つまり、ＳＩＰアプリケーションサーバ３は、これらの通信端末間にセッション（通信路）を形成し、通信路で通信端末間を接続する。ＳＩＰアプリケーションサーバ３は、信号ＩＮＶＩＴＥ（ＳＤＰ：着信端末）をＳＩＰサーバ２に送信し、ＳＩＰサーバ２は、信号ＩＮＶＩＴＥ（ＳＤＰ：着信端末）発信端末に送信する。発信端末は、信号２００ＯＫをＳＩＰサーバ２に送信し、ＳＩＰサーバ２は、信号２００ＯＫをＳＩＰアプリケーションサーバ３に送信する。ＳＩＰアプリケーションサーバ３は、信号ｒｅＩＮＶＩＴＥ（ＳＤＰ：発信端末）をＳＩＰサーバ２に送信し、ＳＩＰサーバ２は、信号ｒｅＩＮＶＩＴＥ（ＳＤＰ：発信端末）をゲートウェイ９に送信する。ゲートウェイ９は、信号２００ＯＫ（ＳＤＰ：着信端末）をＳＩＰサーバ２に送信し、ＳＩＰサーバ２は、信号２００ＯＫ（ＳＤＰ：着信端末）をＳＩＰアプリケーションサーバ３に送信する。
【００５４】
これにより、発信端末と着信端末とで通話が行われると、ＳＩＰアプリケーションサーバ３は、メディアサーバ５のセッションを解放する（Ｓ２１）。ＳＩＰアプリケーションサーバ３は、メディアサーバ５に信号ＢＹＥを送信し、メディアサーバ５は、信号２００ＯＫをＳＩＰアプリケーションサーバ３に送信する。
【００５５】
以上のように、本実施の形態の通信システムは、複数の通信端末の任意の２通信端末間を通信路で接続する呼処理システムおよびメディアサーバを含む通信システムであって、呼処理システムは、着信端末を相手に指定した信号を発信端末から着信したなら、着信端末に着信信号を送信し、着信信号に対して応答信号を送信した着信端末に対し、着信端末を相手に指定した信号を着信したこと、つまり発信端末のユーザが通話を望んでいることことを着信端末に通知するので、かかる着信があったこと、つまり、発信端末のユーザが通話を望んでいることを着信端末のユーザに対し確実に伝えることができる。
【００５６】
また、本実施の形態では、メディアサーバは、発信端末からのメッセージを受信記憶したか否かを着信端末に通知するので、メッセージの有無により通話の重要性などを判断することができる。
【００５７】
また、メディアサーバは、メッセージを記憶している場合において、着信端末から予め定められた操作により信号が送信されたなら、メッセージを着信端末に送信するので、着信端末のユーザはメッセージの内容を知ることができる。
【００５８】
また、呼処理システムは、着信端末への通知後、着信端末から予め定められた操作により信号が送信されたなら、発信端末と着信端末とを通信路で接続させるので、通話により詳細な内容確認等が行える。
【００５９】
なお、本実施の形態のＳＩＰサーバ２、ＳＩＰアプリケーションサーバ３、アプリケーションサーバ４、メディアサーバ５などとしてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００６０】
１…呼処理システム
２…ＳＩＰサーバ
３…ＳＩＰアプリケーションサーバ
４…アプリケーションサーバ
５…メディアサーバ
７、８、１２、１４…通信端末
９…ゲートウェイ
【図１】
2011244315.tif 000003
【図２】
2011244315.tif 000004
【図３】
2011244315.tif 000005
【図４】
2011244315.tif 000006
【図５】
2011244315.tif 000007
【図６】
2011244315.tif 000008